(57)【要約】  端末装置のＳＩＭの起動に応答して、ＳＩＭは、機器情報を端末装置から要求する。機器は、機器情報をＳＩＭに提供し、ＳＩＭは、機器情報および加入者情報を備える通信を定式化し、並びに通信をネットワークに送信させる。
2007506370.tif 000002
【特許請求の範囲】
【請求項１】
プロセッサと、
前記プロセッサに適用され、および端末装置からの通信に応答する場合に、加入者データの位置を確認し、加入者のサービスを識別し、端末装置の設定を決定し、並びに前記設定を、前記端末装置に通信するロジックと
を備えたことを特徴とするネットワーク構成要素。
【請求項２】
前記プロセッサに適用される場合に、機器構成のロジックを、前記端末装置に通信するロジックをさらに備えたことを特徴とする請求項１に記載のネットワーク構成要素。
【請求項３】
前記プロセッサに適用される場合に、ＳＭＳ、ＥＭＳ、ＭＭＳ、およびＳｙｎｃＭＬの一つを使用する端末装置で通信するロジックをさらに備えたことを特徴とする請求項１に記載のネットワーク構成要素。
【請求項４】
プロセッサと、
機器情報と、
前記プロセッサに適用される場合に、前記機器情報をＳＩＭに提供し、前記ＳＩＭから前記機器情報を備える通信を受信し、および前記通信をネットワークに送信するロジックと
を備えたことを特徴とする端末装置。
【請求項５】
位置情報と、
前記プロセッサに適用される場合に、前記位置情報を、前記ＳＩＭに提供するロジックと
をさらに備えたことを特徴とする請求項４に記載の端末装置。
【請求項６】
前記プロセッサに適用される場合に、設定およびロジックの少なくとも１つを、前記ネットワークから受信し、並びに前記設定、およびロジックを適用し、機器構成を発効させるロジックをさらに備えたことを特徴とする請求項４に記載の端末装置。
【請求項７】
プロセッサと、
前記プロセッサに適用され、および端末装置の前記ＳＩＭの起動に応答する場合に、機器情報を前記端末装置から受信し、前記端末装置が、前記ＳＩＭの前記以前の起動で使用された端末装置とは異なる場合に、前記機器情報を備える通信を定式化し、および前記通信をネットワークに送信させるロジックと
を備えたことを特徴とするＳＩＭ。
【請求項８】
前記プロセッサに適用される場合に、位置情報を前記端末装置から受信し、前記位置情報を備える通信を定式化し、および前記通信をネットワークに送信させるロジックをさらに備えたことを特徴とする請求項７に記載のＳＩＭ。
【請求項９】
ユーザ情報と、
前記プロセッサに適用される場合に、前記ユーザ情報を備える通信を定式化し、および前記通信をネットワークに送信させるロジックと
をさらに備えたことを特徴とする請求項７に記載のＳＩＭ。
【請求項１０】
前記プロセッサに適用される場合に、ＳＭＳ、ＥＭＳ、およびＭＭＳの少なくとも１つを介して、前記機器情報を、前記ネットワークに通信するロジックをさらに備えたことを特徴とする請求項７に記載のＳＩＭ。
【請求項１１】
基地局のシステム（ＢＳＳ）と、
加入者情報と、
前記ネットワークの一又は複数のネットワーク構成要素によって実行される場合に、端末装置からの通信に応答して加入者データの位置を確認し、加入者のサービスを識別し、端末装置の設定を決定し、および前記設定を前記端末装置に通信するロジックと
を備えたことを特徴とするネットワーク。
【請求項１２】
実行される場合に、ＳＭＳ、ＥＭＳ、ＭＭＳ、およびＳｙｎｃＭＬの１つを使用する端末装置で通信するロジックをさらに備えたことを特徴とする請求項１１に記載のネットワーク。
【請求項１３】
実行される場合に、機器構成のロジックを、前記端末装置に通信するロジックをさらに備えたことを特徴とする請求項１１に記載のネットワーク。
【請求項１４】
端末装置のＳＩＭの起動に応答して、前記ＳＩＭが、機器情報を、前記端末装置から要求すること、
前記機器が、前記機器情報を、前記ＳＩＭに提供すること、および
前記機器が、前記ＳＩＭの以前の起動において使用された機器とは異なる場合に、前記ＳＩＭが、前記機器情報を備える通信を定式化し、および前記通信をネットワークに送信させること
を備えたことを特徴とする方法。
【請求項１５】
前記ＳＩＭは、ＳＭＳ、ＥＭＳ、ＭＭＳ、およびＳｙｎｃＭＬの１つにしたがって、前記通信を定式化することをさらに備えたことを特徴とする請求項１４に記載の方法。
【請求項１６】
前記機器は、位置情報を前記ＳＩＭに提供すること、
前記ＳＩＭは、前記位置情報を備える通信を定式化すること、および
前記ＳＩＭは、前記通信をネットワークに送信させること
をさらに備えたことを特徴とする請求項１４に記載の方法。
【請求項１７】
設定、およびロジックの少なくとも１つを、前記ネットワークから受信すること、および
前記設定、およびロジックを適用し、前記ネットワークからサービスを受信する前記端末装置の通信を発効させること
をさらに備えたことを特徴とする請求項１４に記載の方法。
【請求項１８】
前記ＳＩＭは、ユーザ情報を備える通信を定式化すること、および
前記ＳＩＭは、前記通信をネットワークに送信させること
をさらに備えたことを特徴とする請求項１４に記載の方法。
【発明の詳細な説明】
【技術分野】
【０００１】
本発明の開示は、ネットワークからサービスを受信する機器の機器構成に関する。
【背景技術】
【０００２】
ワイヤレス電話は、普及しており、どこにいても使える機器である。今や、世界のほとんどどんな場所に対しても電話をかけたり、受けたりすることは可能である。通信は、ワイヤレス衛星電話を使用して、遠隔地および未開発地域からでさえ可能である。この点を考慮すると、ワイヤレス電話という言葉は、ワイヤ、ケーブル、または他の有形の伝送媒体を使用することなく、ネットワークに対して、音声、および／またはデータ（非音声）の情報を発信でき、および受信できる機器を指す。いわゆる、携帯電話は、ワイヤレス電話の一般例である。
【０００３】
人々が通信するワイヤレス電話、およびそのネットワークは、様々な技術にしたがって機能し、それらは、アナログ携帯電話サービス（ＡＭＰＳ：analog mobile phone service）、回線交換（circuit switching）、パケット交換（packet switching）、ＩＥＥＥ８０２．１１準拠のネットワークなどのワイヤレスローカルエリアネットワーク（ＷＬＡＮ）のプロトコル、ワイヤレスワイドエリアネットワーク（ＷＷＡＮ）、Ｂｌｕｅｔｏｏｔｈ（登録商標）などの短距離のＲＦシステム、符号分割多重接続（ＣＤＭＡ：code division multiple access）、時分割多元接続（ＴＤＭＡ：time division multiple access）、周波数分割多重（ＦＤＭ：frequency-division multiplexing）、スペクトラム拡散（spread-spectrum）、ＧＳＭ（global system for mobile communications）、ＨＣＳＤ（high-speed circuit-switched data）、ＧＰＲＳ（general packet radio system）、ＥＤＧＥ（enhanced data GSM environment）、およびＵＭＴＳ（universal mobile telecommunications service）を含む。言うまでもなく、これらは例にすぎず、他の技術もワイヤレス通信に使用することができる。
【０００４】
この点を考慮すると、「ワイヤレス機器」という用語は、ワイヤレス電話（携帯電話、移動電話、衛星電話を含む）を含み、ワイヤレスに通信する、ワイヤレスウェブアクセス電話、自動車電話、ラップトップコンピュータ、およびデスクトップコンピュータ、並びに、ワイヤレスのＰＤＡ（personal digital assistants）を含む、他のさまざまなワイヤレス機器もまた含むことを意味する。一般的に、「ワイヤレス機器」という用語は、ワイヤレス通信の機能を持つ機器を指す。
【０００５】
多くの企業が、ワイヤレス電話、および他のワイヤレス機器を生産している。有名な生産者の中では、Ｎｏｋｉａ（登録商標）、Ｅｒｉｃｓｓｏｎ（登録商標）、Ｍｏｔｏｒｏｌａ（登録商標）、Ｐａｎａｓｏｎｉｃ（登録商標）、Ｐａｌｍ（登録商標）  Ｃｏｍｐｕｔｅｒ、および、Ｈａｎｄｓｐｒｉｎｇ（登録商標）がある。様々な生産者はまた、Ｍｉｃｒｏｓｏｆｔ（登録商標）  Ｗｉｎｄｏｗs（登録商標）のオペレーティングソフトウェアのバージョンを備えるワイヤレス機器も生産している。
【０００６】
現代のワイヤレス機器は、ＳＩＭ（subscriber identity module）に対応できる。ＳＩＭは、ワイヤレス機器が通信するネットワークの加入者を識別する。「加入者（subscriber）」は、ネットワークに対するアクセス権限を持つ、一又は複数の個人、並びに団体（企業、パートナーシップ、代理業者、オペレータなど）を意味する。加入者は、ただ一つのユーザであり、または、ただ一つのユーザを表すことができるし、若しくは、一又は複数のユーザを表すことができる。「ユーザ」は、ネットワークに対するアクセス権限を持つ個人（若しくは、考え得るところでは、独立の、または、半独立のロジック）を指す。ユーザは、ネットワークを介してサービスを提供する機器のオペレータになることもできるが、通例、ユーザは、端末装置のオペレータである。
【０００７】
「端末装置」は、ネットワーク環境にアクセスするユーザによって使用される機器を指す。
【０００８】
「サービス」は、情報であり、ネットワークを介して利用できる行為である。サービスの例は、ショートメッセージサービス（ＳＭＳ）、電子メール、および、株価情報を含む。「サービスプロバイダ」は、ネットワーク環境を介してサービスを提供する機器、または機器の組み合わせである。通例、サービスプロバイダは、端末装置への情報配信を提供し、および／または端末装置からの要求に応答して、ネットワークアクションを実行する。サービスプロバイダはまた、別のサービスプロバイダの代わりに、情報配信、および／またはネットワークアクションを提供する。
【発明の開示】
【発明が解決しようとする課題】
【０００９】
問題が生じるのは、機器が、複数の加入者によって使用され、ネットワークにアクセスする時である。例えば、１番目の加入者がコンピュータを使用し、ネットワークにアクセスすることができ、およびコンピュータの設定を再設定し、加入者がネットワークから受信することを許可されたサービスとの互換性に備えることができる。２番目の加入者は、次に、そのコンピュータを使用し、そのネットワークにアクセスし、および２番目の加入者のために許可された一連のサービスを使用することができる。しかしながら、コンピュータの機器構成は、２番目の加入者のサービスとは両立せず、サービスにアクセスすること、および／またはコンピュータを使用することに関する問題につながるだろう。他の問題が生じるのは、ＳＩＭを、加入者がアクセス権限を持つネットワークへのアクセス用に設定されていない端末装置に移す時であり、および／または端末装置を、機器の機器構成がネットワークサービスにアクセスするのに十分でない場所に移す時である。これらの問題は、言い換えると、顧客満足の低下、ヘルプコールの増加、および、ネットワークオペレータおよびサービスプロバイダの収益の喪失につながる。
【課題を解決するための手段】
【００１０】
本発明は、従来技術を超える利点を提供する。本発明の実施形態、および態様の概要を最初に提示する。単純化および省略を、以下に述べる概要において行う。つまり、その概要は、本発明の範囲を限定するものではなく、開示された実施形態の態様を明らかにし、紹介する。従って、説明されている実施形態の詳細な説明が提示されるが、従来技術における当業者は、本発明の態様を作成し、または使用できるようになるだろう。従来技術における当業者は、図とともに読まれる以下の詳細な説明、および特許請求の範囲（詳細な説明に続く）から、本発明の態様の十分な理解を得ることができる。
【００１１】
端末装置におけるＳＩＭの起動に応答して、ＳＩＭは、機器情報を端末装置から要求する。機器は、機器情報をＳＩＭに対して提供し、ＳＩＭは、機器情報を備える通信を定式化し、通信をネットワークに送信させる。
【００１２】
ここで与えられる表題は、単なる便宜のためのものであり、特許請求の範囲の発明の範囲、または意味に必ずしも影響を与えない。
【００１３】
図面において、同じ参照番号および頭文字語は、理解および便宜を容易するために、同じまたは類似の機能をもつ要素または動作を識別する。特定の要素または動作についての考察を容易に識別するために、参照番号における最も重要な数字は、その要素が最初に紹介されている図面の番号を指す。
【発明を実施するための最良の形態】
【００１４】
本発明は、これから、様々な実施形態に関して記述される。以下の記述は、本発明の実施形態についての理解および実施可能な程度の記述を通じて、詳細情報を提供する。しかしながら、当業者は、本発明をこれらの詳細な記述なしで実行できることを理解するだろう。他の例では、周知の構造および機能を、本発明の実施形態の記述を不必要に分かりにくくすることを避けるために詳細に示さず、記述しなかった。
【００１５】
ここで、「ロジック（logic）」は、処理装置の動作に影響を与えるために適用される指図信号、および／またはデータを持つ情報を指す。処理装置の例は、コンピュータプロセッサ（処理装置）、マイクロプロセッサ、デジタル信号プロセッサ（digital signal processors）、コントローラ、マイクロコントローラなどである。ロジックを、機器のメモリに格納された信号から形成することができる。ソフトウェアは、そのようなロジックの一例である。ロジックを備えることができる機器のメモリの例は、ＲＡＭ（random access memory）、フラッシュメモリ、ＲＯＭＳ（read-only memories）、ＥＰＲＯＭＳ（erasable programmable read-only memories）、ＥＥＰＲＯＭＳを含む。デジタル、および／またはアナログのハードウェア回路、例えば、論理演算子ＡＮＤ、ＯＲ、ＸＯＲ、ＮＡＮＤ、ＮＯＲ、および他の論理演算子を備えるハードウェア回路はまた、ロジックを備えることができる。ロジックを、ソフトウェア、およびハードウェアの組み合わせから形成することができる。
【００１６】
「情報」は、知識、例えば、「データ」を表す構成である。情報の例は磁気、または光学ビットの集まりである。
【００１７】
「ネットワーク構成要素」は、一又は複数の通信ネットワーク機器であり、例えば、少なくとも時折ネットワークの運用に参加する機器である。
【００１８】
通常、加入者は、オペレータのネットワークへのアクセス権について、ネットワークオペレータと配置契約を締結する。加入者が、契約上のアクセス権を有する、このオペレータのネットワークは、加入者の「ホームネットワーク」である。加入者のホームネットワーク以外のネットワークは、「ローミングネットワーク（roaming networks）」である。加入者および加入者のワイヤレス機器は、ローミングネットワークにアクセスする場合、「ローミングしている（roaming）」と言われる。
【００１９】
図１は、ワイヤレス通信の配置の一実施形態のブロック図である。端末装置１１０は、ネットワーク１０２と通信する。ネットワーク１０２は、信号を、端末装置１１０からアンテナ１３０を介して受信する。
【００２０】
図２は、ワイヤレス通信の配置の一実施形態のより詳細なブロック図である。端末装置１１０は、機器情報２０６、位置情報２０８、プロセッサ２０４、ロジック２０５、およびＳＩＭ（subscriber identity module）２０２を備える。機器情報２０６は、情報を受信し、処理し、および表示する機器の機能に関する情報を備える。例えば、機器情報は、機器のグラフィック表示機能、通信の帯域幅、プロセッサのスピードについての情報を備えることができる。機器情報２０６はまた、特に、機器モデル、機器が備えるロジック２０５のバージョン（例えば、ＢＩＯＳのバージョン、オペレーティングシステムのバージョン、ソフトウェアのバージョンなど）、機器の動作中に生じた最近知られたエラー、インストールされたソフトウェアアプリケーション、および、言語設定についての情報も含むことができる。機器情報２０６はまた、ＢＩＯＳ、オペレーティングシステム、インストールされたソフトウェアアプリケーション、および、端末装置１１０の他のコンポーネントが、どのように設定され、動作するのかに関する情報も含むことができる。
【００２１】
端末装置１１０は、プロセッサ２０４、およびロジック２０５を備える。ロジック２０５がプロセッサに適用される場合に、ロジック２０５によって、端末装置１１０は、本明細書で示されている方法の行為を、および方法にしたがって実行できるようになる。
【００２２】
位置情報２０８は、端末装置１１０の位置に関する情報を備える。そのような情報は、配信すべき情報の種類、配信すべき情報の質、および量などを決定するのに役立つだろう。言い換えれば、位置情報は、サービスを機器に配信する場合に役立つだろう。位置情報は、「リテラル（literal）」（例えば、地理的な宛名、若しくは位置）または「ロジカル（logical）」（例えば、「会議中」、「データ送信中」）などであるだろう。
【００２３】
ＳＩＭ２０２、および端末装置１１０を、両者が容易に連結されたり、切り離されたりするような方法で連結できる。例えば、ＳＩＭ２０２は、端末装置１１０のスロット（slot）に挿入することができる。ネットワークの加入者は、ＳＩＭ２０２を端末装置１１０から取り外し、それを別の端末装置に連結する。同様に、別の加入者は、機器のＳＩＭ２０２を、他の加入者を表す別のＳＩＭで置き換えることができる。
【００２４】
ネットワーク１０２は、加入者情報２１２、およびロジック２１０を備える。加入者情報２１２は、加入者ＩＤ、支払いパラメータ、サービス提供情報、サービス配信情報、請求総額および決済情報、アクセスネットワーク情報、並びに、セキュリティ、およびアクセスコントロール情報のような情報を備えることができる。
【００２５】
ロジック２１０により、ネットワーク１０２は、本明細書で示されている方法の行為を、および方法にしたがって実行できるようになる。
【００２６】
加入者ＩＤは、ネットワークへの加入者の中からある加入者を識別する。支払いパラメータは、支払いの方法、および期間を記述する。例は、月々の会費の課金、定額費用の取り決め、使用ごとの取り決め、プリペイドの額などである。サービス提供情報は、加入者に役立つサービスのレベル、またはパッケージを記述する。例は、プレミアム、スタンダード、およびベーシックである。サービス配信情報は、ネットワークからの加入者に役立つサービスのレベルを記述する。例は、１００Ｍｂｐｓ（メガビットパーセカンド）のサービス、および保証された情報配信を含む。課金情報は、加入者がどの程度課金されるべきかを記述する。この情報は、加入者の課金の宛先、クレジットまたはデビットカードの情報、および／または、口座番号を含む。決済情報は、加入者への現在の課金に関する情報を記述する。例は、加入者の現在の課金、並びに、すぐに支払う料金、および支払期限の過ぎた課金についての情報を含む。アクセスネットワーク情報は、加入者が使用することができるネットワークアクセスの方法を記述する。例は、ＧＰＲＳ、２Ｇ、３Ｇ、および回線交換である。セキュリティ情報は、加入者がネットワークに対して通信する情報をどのようにして保護するかを記述する。例は、デジタル署名および暗号鍵の情報である。アクセス制御情報は、加入者が、アクセスが制御されているネットワークを介して、情報、および／または利用可能な行為にどのようにアクセスできるかを記述する。例は、ＩＤ、およびパスワード情報を含む。
【００２７】
加入者情報２１２は、加入者に役立つサービス、例えば、加入者がアクセスを許可されたサービスに関する情報を備えることができる。サービスは、サービス情報によって特徴づけられ、それは、サービス識別子、サービスの種類、サービス記述、サービス要求、パフォーマンス要求、サービス情報の質、ネットワークリソース要求の情報、ネットワークリソースの許可量、並びに、セキュリティ、およびアクセス制御の情報を含む。
【００２８】
サービス識別子は、ネットワークを介して利用できるサービスの中からサービスを識別する。サービスの種類は、サービスの種類、例えば、ビジネス、消費者、エンターテインメントなどを識別する。サービス記述は、「Ｒｅａｌ−Ｔｉｍｅ  Ｓｔｏｃｋ  Ｑｕｏｔｅｓ」などのサービスを記述する。サービス要求は、適切に提供されるべきサービス要求を記述する。例えば、サービス要求は、グラフィックス、プロセッサ、メモリ、通信、支払い能力、並びに機器、および／またはユーザ、および／または加入者が、それらのサービスが提供されるために接触すべき、他の要求についての情報を含むことができる。サービス要求の情報は、グラフィックス、プロセッサ、メモリ、および、通信などのカテゴリにしたがって体系化することができる。もちろん、これらは可能なカテゴリの一例にすぎない。機器情報２０６のカテゴリと一致するカテゴリを定義することができる。例えば、グラフィックスカテゴリは、サービス情報を適切に描画するグラフィックス要求、ディスプレイの大きさなどの情報、グラフィックスプロセッサ、および機器がユーザに対してサービスを適切に描画するために使用すべき色についての情報を備えることができる。プロセッサカテゴリは、サービスを適切に受信し、および、描画する機器によって使用するのに必要な処理能力に関する情報（例えば、プロセッサのスピード）を備えることができる。メモリカテゴリは、サービスを機器上に適切に受信し、および描画するメモリ要求に関する情報（例えば、最低限の利用可能なメモリ、メモリのスピード）を備えることができる。通信カテゴリは、サービスを機器上に適切に受信し、および描画する通信要求に関する情報（例えば、帯域幅、コーデック（codec））を備えることができる。
【００２９】
サービス情報の質は、サービスがネットワークから要求するサービスの質を記述する。ネットワークリソース要求の情報は、サービス行為を実行するために割り当てられる必要があるネットワークリソースを記述する。例えば、ネットワークリソース要求の情報は、帯域幅、およびメモリの割り当て要求を備えることができる。ネットワークリソース要求はまた、特に、中継サーバのアドレス、およびＷＡＰのゲートウェイ情報も含むことができる。ネットワークリソースの許可量の情報は、サービス行為を実行するために、実際に利用可能になったネットワークリソースを記述する。例えば、ビデオをストリーミングするサービスは、ストリーミングする映像を端末装置に転送するために、１０Ｍｂｐｓのネットワーク帯域幅を必要とする。しかしながら、たった１Ｍｂｐｓの帯域幅しか割り当てられていない。セキュリティ情報は、サービス情報が、ネットワーク上の通信の間に、どのように保護されるのかを記述する。例は、デジタル署名、および暗号鍵の情報である。アクセス制御情報は、サービスプロバイダが、アクセスが制御されているネットワークを介して、情報、および／または利用可能な行為にどのようにアクセスできるかを記述する。例は、ＩＤ、およびパスワード情報を含む。
【００３０】
図３は、ＳＩＭ２０２の一実施形態のブロック図である。ＳＩＭ２０２は、ユーザ情報３０８、ロジック３０４、およびプロセッサ３０６を備える。
【００３１】
ロジック３０４がプロセッサ３０６に適用される場合に、ロジック３０４により、ＳＩＭ２０２は、本明細書で示されている方法の行為を、および方法にしたがって実行することができるようになる。
【００３２】
ユーザ情報３０８は、ユーザＩＤ、媒体配信の選択、存在情報、使用情報、利用者層の情報、関連情報、および個人情報などの情報を備えることができる。
【００３３】
ユーザＩＤは、ネットワーク上のユーザの中から、あるユーザを識別する。媒体配信の選択は、情報がユーザと通信されるべき方法に関する情報を含む。例は、フレームレート、カラースキーム、映像の質、および、映像のレイアウトを含む。使用情報は、ユーザのネットワーク環境へのアクセス情報を備え、そして、その情報はおそらく、ユーザがネットワーク環境に、どのように、いつ、どのくらいの頻度で、および何の目的で、アクセスするかを含む。使用情報は、どのサービスにユーザがアクセスしたか、および／またはどのくらいの頻度なのか、および／または最近使用されたサービス、および／または最も頻繁にアクセスされたサービスに関する情報を含むことができる。使用情報は、ユーザの使用行為における動向、および傾向に関する情報も含むことができる。
【００３４】
個人情報は、ユーザを記述する。例は、ユーザのプライバシー情報（ユーザプロファイル情報の配布は制限されている）と同様に、ユーザの名前、および宛先である。利用者層の情報は、ユーザを、統計的に、マーケティング用に、または他の目的のために分類するために使用することができる。例は、ユーザの年齢、人種、および性別を含む。関連情報は、他のユーザ、および／またはユーザに関連する加入者を記述する。関連情報は、関連の特徴も記述する。例は、仲間、家族、保護者を含む。
【００３５】
個人情報は、ユーザがアクセスできる、ユーザの好んだ、最近の、および／または最も頻繁なサービスの設定を記述する。例は、ユーザの好む新しい種類の情報（スポーツ、地元のイベントなど）、およびユーザが最も頻繁に、および／または最近検索した問い合わせを含む。
【００３６】
セキュリティ情報は、ユーザが、ネットワークに対して通信する情報をどのように保護するかを記述する。例は、デジタル署名、および暗号鍵の情報である。様々な実施形態において、加入者のセキュリティ情報を、加入者に関連付けられたユーザの通信を保護するために適用することができる。代わりに、または追加で、ユーザのセキュリティ情報を、加入者に関連付けられたユーザの通信を保護するために、他の加入者から独立しながら、適用することができる。
【００３７】
アクセス制御情報は、ユーザが、アクセスが制御されているネットワークを介して、情報、および／または利用可能な行為にどのようにアクセスできるかを記述する。例は、ＩＤ、およびパスワード情報を含む。様々な実施形態において、加入者のセキュリティ情報を、制限された情報への加入者のアクセスに関連付けられたユーザに提供するために、適用することができる。代わりに、または追加で、ユーザのアクセス制御情報を、制限された情報への加入者の独立したアクセスに関連付けられたユーザに提供するために、適用することができる。
【００３８】
図４は、ネットワークのサービスにアクセスするために機器を設定する方法の一実施形態の動作図である。４０２で、ＳＩＭは機器内で起動される。「起動（activation）」は、異なる事象によって引き起こされ、それは、ＳＩＭを機器に連結すること（例えば、挿入すること）、ＳＩＭが連結している機器の電源オンをすること、およびボタンを押すこと、またはさもなければ機器に命令を出すことを含む。４０４で、ＳＩＭを起動することは、機器に対して、機器、および位置情報を要求することにつながる。４０６で、機器および位置情報は、ＳＩＭに返信される。４０７で、ＳＩＭは、少なくともいくつかの機器情報、およびあるいは少なくともいくつかの位置情報も含む通信を定式化する。ある実施形態において、通信が定式化されるのは、端末装置が、ＳＩＭの以前の起動で使用された端末装置とは異なる時だけである。４０８で、ＳＩＭは、通信をネットワークに送信するために、機器に信号を送る。４０９で、通信は送信される。
【００３９】
ある実施形態において、通信は、ショートメッセージサービス（ＳＭＳ）技術を使用する。テキストメッセージング、モバイルメッセージング、または英数字のページングとして別に知られるＳＭＳは、インターネット上の公共のＳＭＳメッセージングゲートウェイに対するものと同様に、ワイヤレス機器に対する短いメッセージ、および数字のメッセージの通信を可能にさせる。
【００４０】
使用可能な別の通信技術は、機能強化されたメッセージサービス（ＥＭＳ）である。ＥＭＳは、ＳＭＳの機能をサポートし、短いテキスト、および数字のメッセージを通信するが、音声、アニメ、動画、図形、および追加の文書整形機能を含む、他の種類のデータ通信の機能も含む。
【００４１】
使用可能なさらに別の通信技術は、マルチメディアメッセージサービス（ＭＭＳ）である。ＭＭＳは、映像および他の高度なマルチメディアフォーマットの通信に備える。使用可能なさらに別の通信技術は、ＳｙｎｃＭＬである。ＳｙｎｃＭＬは、ＸＭＬ（Extensible Markup Language）ベースであり、並びに、機器、およびネットワークアプリケーション間のデータを同期させる標準のやり方を提供する。
【００４２】
４１０で、ネットワークは、機器から通信されたユーザ情報、および／または機器情報に対応する加入者情報の位置を確認する。４１１で、ネットワークは加入者情報を使用し、加入者に提供されうるサービス（例えば、加入者の申し込みプランの下で利用可能なサービス）を識別する。４１２で、機器の設定は決定される。その設定は少なくとも一部分は識別されたサービスに基づき、少なくとも一部分は機器情報、および／またはユーザ情報（情報、およびユーザの好みを表示し、処理する機器の機能）にも基づく。
【００４３】
４１４で、ネットワークは、決定された機器設定を、機器に通信する。通信は、ＳＭＳ、ＥＭＳ、ＭＭＳ、ＳｙｎｃＭＬ、または他の技術を使用して成し遂げることができる。４１６で、ネットワークは、ロジック（例えば、ソフトウェア）を機器に通信することもできる。４１８で、機器は、設定、および／またはロジックを適用し、加入者が利用できるサービスを設定する。
【００４４】
ワイヤレスネットワークの実施形態は、図５ないし図７とともに述べられる。その記述において、加入者情報２１２およびロジック２１０を備え、本明細書で述べられる行為を実行することができる特定のネットワーク構成要素は、識別される。これらのネットワーク構成要素は、限定ではなく一例として識別され、例えば、加入者情報２１２、およびロジック２１０は、図において明確に識別されるもの以外のネットワーク構成要素によって備えられる可能性がある。
【００４５】
図５は、ワイヤレスネットワークの基地局のシステム（base station subsystem）のブロック図を示す。基地局のシステム（ＢＳＳ）５１５は、一又は複数の基地局（ＢＴＳ：base transceiver stations）５２５に連結された基地局のコントローラ（ＢＳＣ：base station controllers）５２０から成る。同様に、各ＢＴＳ５２５は、一又は複数のアンテナ１３０に連結される。
【００４６】
ＢＴＳ５２５は、ワイヤレスネットワーク、および端末装置の間の無線インターフェースを作り出すための送受信機器を含む。アンテナ１３０は、別個の構成要素として明確にするために示されているけれども、アンテナ１３０、送信機、および受信機をトータルでＢＴＳとして指すことは、産業界においては一般的なことである。
【００４７】
ＢＳＣ５２０は、通信路を割り当て、あるＢＴＳから別のＢＴＳへの受け渡しを管理し、ワイヤレス機器を呼び出し（paging）、および接続系の信号データを送信することによって、無線インターフェースの管理を実行することができる。
【００４８】
図６は、ワイヤレスネットワークのＮＳＳ（Networking and switching subsystem）６３５のブロック図である。ＮＳＳ６３５は、ＭＳＣ（Mobile Switching Center）６４０、ＨＬＲ（Home Location Registry）６４５、およびＶＬＲ（Visitor Location Registry）６５０を備える。スイッチング、およびネットワーク管理機能は、ＮＳＳ６３５によって実行される。ＮＳＳ６３５は、ワイヤレスネットワーク、並びに公衆交換電話網（ＰＳＴＮ）、ＩＳＤＮ（Integrated Services Digital Network）、インターネット、他のワイヤレスネットワーク、および公衆データ網（ＰＤＮ）などの他のネットワークの間のゲートウェイとしても動作することができる。
【００４９】
ＭＳＣ６４０は、通信を決まったルートを経て送り、およびネットワークを管理するデジタル方式のスイッチング機構である。ＧＰＲＳネットワークにおいて、ＧＰＲＳはＳＧＳＮｓ（Switching GSNs）などのノード（GSNs）をサポートし、およびＧＧＳＮｓ（Gateway GSNs）は、ＭＳＣ６４０によって提供されるものに類似するスイッチング動作を提供することができる。通信ネットワークには多くのスイッチ６４０が存在することができ、各々のスイッチ６４０は、スイッチ６４０によって受け持たれる地理的な領域内で、ワイヤレス機器への接続を開始し、維持し、および終了するために必要な信号伝達に責任を持つ。各ＭＳＣ（スイッチ）６４０は、数個のＢＳＣ５２０を管理することができる。ＭＳＣ６４０は、ＨＬＲ（Home Location Registry）６４５、およびＶＬＲ（Visitor Location Registry）６５０に連結される。ＨＬＲ６４５は、ＶＬＲ６５０にも連結される。
【００５０】
一実施形態においては、少なくとも加入者情報２１２の一部は、ＨＬＲ６４５によって備えられる。また、ＨＬＲ６４５は、加入者の移動局の現在の位置領域（ＬＡ：Location Area）、および移動局のローミング番号（ＭＳＲＮ：Mobile Station Roaming Number）などの特定の動的な、または一時的な加入者データを備えることもできる。加入者関連のデータは、携帯電話のサービス会社が必要とする場合に、課金、および管理情報が引き出されるＨＬＲ６４５に記録される。あるワイヤレスネットワークは、全ての加入者を扱うただ一つのＨＬＲ６４５を有し、他のワイヤレスネットワークは、複数のＨＬＲを有する。
【００５１】
一実施形態においては、ＭＳＣ６４０は、少なくともロジック２１０の一部を備え、加入者データの位置を確認し、加入者のサービスを識別し、端末装置の設定を決定し、並びに、設定および、場合により端末装置に関連付けられたロジックを通信する。一実施形態において、ＨＬＲ６４５は、ホームネットワークの加入者のためのロジック２１０の少なくとも一部を備える。ＶＬＲ６５０は、ローミング加入者のための類似のロジック２１０を備えることができる。
【００５２】
ＭＳＣ６４０は、ＶＬＲ６５０を使用し、ＭＳＣ６４０が制御する領域において現在ローミングしているワイヤレス機器を管理する。ＶＬＲ６５０は、ＩＭＳＩ（International Mobile Subscriber Identity）、認証データ、ローミングしているワイヤレス機器の電話番号などの情報を格納する。ＶＬＲ６５０は、ローミングしているワイヤレス機器が受ける資格のあるサービスについての情報などの加入者情報を、ワイヤレス機器を扱うＨＬＲから取得し、備えることができる。ＶＬＲ６５０は、予備のＭＳＲＮを制御し、ＭＳＲＮおよびＴＭＳＩを、ローミングしているワイヤレス機器に割り当てる。ＶＬＲ６５０は、ＭＳＲＮおよびＴＭＳＩ（Temporary Mobile Subscriber Identity）情報をＨＬＲ６４５に送信し、それらは、ルーティング呼び出しにおいて後に使用する加入者の動的記録とともに格納される。
【００５３】
ショートメッセージサービスセンタ（ＳＭＳＣ：Short Message Service Center）６６０を、ネットワークに対するＳＭＳの通信に備えるために、ＭＳＣ６４０に連結することができる。端末装置からのＳＭＳ通信を、ＳＭＳＣ６６０によって、機器管理（ＤＭ：device management）のネットワーク構成要素６６５に送信することができる。ＤＭ６６５は、プロセッサ、およびロジック２１０の少なくとも一部を備えることができ、加入者データの位置を確認し、加入者のサービスを識別し、端末装置の設定を決定し、並びに、設定および、場合により関連付けられたロジックを端末装置に通信する。ＤＭ６６５を、加入者情報を備える一又は複数のネットワーク構成要素に連結することができる。例えば、ＤＭ６６５を、ＨＬＲ６４５が加入者情報を備える実施形態において、ＨＬＲ６４５に連結することができる。
【００５４】
一実施形態においては、ＶＬＲ６５０は、ネットワーク１０２にローミングしているワイヤレス機器のユーザの加入者情報の少なくとも一部を備える。
【００５５】
図７は、ネットワーク１０２のオペレーションサブシステム（ＯＳＳ）７５５のブロック図である。ＯＳＳ７５５は、ＥＩＲ（機器識別一覧表：Equipment Identity Register）７６０、ＡｕＣ（認証センタ：Authentication Center）７６５、およびＯＭＣ（運用および保守センタ：Operating and Maintenance Center）７７０を含む。ＯＳＳ７５５は、加入者管理、ネットワーク運用、ネットワーク保守、およびモバイル機器管理を提供することができる。
【００５６】
Ａｕｃ７６５は、ワイヤレス機器および加入者の、ネットワークセキュリティ、および認証に関するデータを格納する。ＡｕＣ７６５の目的は、ネットワークにアクセスしようとする加入者、および／または機器の識別を検証することによって不正手段を防ぐことである。したがって、ＡｕＣ７６５は、認証アルゴリズム、および必要な暗号化コードを備え、加入者のアクセス権、および識別を保護し、並びに盗聴を防ぐことができる。
【００５７】
ＥＩＲ７６０は、ＩＭＥＩ（International Mobile Equipment Identity）番号を格納するデータベースである。ワイヤレス機器は、ＩＭＥＩまたはＥＳＮ（Electronic Serial Number）などの同等の番号によって一意に識別される。ＥＩＲ７６０は通常、盗まれたこと、一時停止したこと、または故障したことを識別された機器のＩＭＥＩを合図で停止させることによって特定のワイヤレス機器の状態を示す。
【００５８】
ＯＭＣ７７０は、システムのパフォーマンス、および質を高めるために、他のネットワーク構成要素を監視し、および制御する。ＯＭＣ７７０は、課金、加入者のサービスデータ、並びにネットワークの状態および能力の統計データの生成も管理する。
【００５９】
一実施形態においては、一又は複数のＡｕＣ７６５、ＥＩＲ７６０、およびＯＭＣ７７０は、加入者情報２１２、およびロジック２１０の少なくとも一部を備えることができる。
【００６０】
この文脈が明細書および特許請求の範囲の全体を通して、別に明らかに要求しない限り、“ｃｏｍｐｒｉｓｅ”、“ｃｏｍｐｒｉｓｉｎｇ”、およびそのような単語は、排他的な、または網羅的な意味とは対照的に包括的な意味で、すなわち“必ずしもこれらに限定されないが、含む”という意味で解釈されるべきである。単一のまたは複数の数字を使用する言葉はまた、複数のまたは単一の数字をそれぞれ含む。加えて、単語の“ｈｅｒｅｉｎ”、“ａｂｏｖｅ”、“ｂｅｌｏｗ”、および類似の意味の言葉は、本出願において使用される場合、本出願の特定の部分ではなく、全体として本出願を指す。特許請求の範囲が、二又は複数の事項の一覧を参照して“ｏｒ”という言葉を使用する場合、その言葉は以下の言葉の説明の全体、すなわち、一覧の事項のいくつか、一覧の事項のすべて、および一覧の事項の組み合わせを対象にする。
【図面の簡単な説明】
【００６１】
【図１】ワイヤレス通信の配置の一実施形態のブロック図である。
【図２】ワイヤレス通信の配置の一実施形態のより詳細なブロック図である。
【図３】ＳＩＭの一実施形態のブロック図である。
【図４】ネットワークサービスにアクセスする機器を設定する行為の一実施形態のフローチャートである。
【図５】ネットワーク環境の一部の実施形態のブロック図である。
【図６】ネットワーク環境の一部の実施形態のブロック図である。
【図７】ネットワーク環境の一部の実施形態のブロック図である。
【図１】
2007506370.tif 000003
【図２】
2007506370.tif 000004
【図３】
2007506370.tif 000005
【図４】
2007506370.tif 000006
【図５】
2007506370.tif 000007
【図６】
2007506370.tif 000008
【図７】
2007506370.tif 000009
【国際調査報告】
2007506370.tif 000010